(57)【要約】  設置箇所周辺が、発熱部に結露した水が垂れ落ちたり飛び散ったりすること等で汚れることがないようにした空気調和装置および空気調和システムを提供する。  空気調和装置１Ａは、設置面に対して立設される支持フレーム２１と、支持フレーム間の領域に上下方向へ間隔を空けて各々が横架され、流動性熱媒体が流通可能な流通管と、流通管を覆い、周壁の横断面の外形が扁平形状あるいは楕円形状であり、流通管から伝導する熱を外部に放熱可能な構造であり、長手方向と直交する長軸方向が同じ方向に傾斜するように取り付けられている外殻体とを有する発熱部２２と、発熱部からの輻射熱を反射し且つ非透水性である反射面を有し、外殻体の長軸方向において低い側の端縁部と反射面とが間隔を空けて相対するように配置された反射板２３と、反射板下方に配置され、滴下する結露水を受けられるように上部分が開口した樋状の受け部２４を備える。
2017009951.tif 000002
【特許請求の範囲】
【請求項１】
設置面に対して立設され、水平方向に間隔を空けて配置される支持部を有する支持フレームと、
該支持フレームの前記支持部の間の領域に、上下方向に間隔を空けて各々が横架され、流動性熱媒体が内部を流通可能な流通管と、該各流通管を覆い、横断面の外形が扁平形状あるいは楕円形状であり、同流通管から伝導する熱を外部に放熱可能な構造であると共に、長手方向と直交する長軸方向が同じ方向に傾斜するように取り付けられている外殻体とを有する発熱部と、
該発熱部からの輻射熱を反射し、かつ、非透水性である反射面を有し、前記外殻体の長軸方向において低い側の端縁部と前記反射面とが間隔を空けて相対するように配置された反射板と、
前記発熱部の下方、かつ、前記反射板の下に配置され、上部分が開口した樋状の受け部とを備える
空気調和装置。
【請求項２】
前記外殻体は、互いに同じ形状である一対の殻部材を有し、各殻部材には、前記流通管の外表面に密着するように合わさる凹面が形成された当接部と、他方の殻部材に形成される凹部に嵌入して嵌着される突出片部と、他方の殻部材に形成される突出片部が嵌入して嵌着される凹部とが形成された嵌合部が設けられ、同殻部材を嵌め合わせる構造である
請求項１に記載の空気調和装置。
【請求項３】
前記流動性熱媒体が温水または冷水である
請求項１または請求項２に記載の空気調和装置。
【請求項４】
前記流動性熱媒体が冷媒である
請求項１または請求項２に記載の空気調和装置。
【請求項５】
前記支持フレームにおいて前記発熱部を間に挟んで前記反射板の反対側となる領域に取り付けられ、天井方向または設置面との間に、通気のための隙間が設けられているパネル体を備える
請求項１、請求項２、請求項３または請求項４に記載の空気調和装置。
【請求項６】
前記パネル体のうち、少なくとも前記発熱部を覆う部分は、同発熱部の発する輻射熱が通過可能な構造である
請求項５に記載の空気調和装置。
【請求項７】
前記パネル体の表面に、広告、サイン、絵または写真が表示されている
請求項５または請求項６に記載の空気調和装置。
【請求項８】
前記外殻体の表面に、ローレット加工、アルマイト加工、放熱用コーティング、遠赤外線放出用コーティング、消臭機能、抗菌機能または揮発性有機化合物の吸着分解機能を有するコーティングから選ばれた一または複数の加工あるいはコーティングを施している
請求項１、請求項２、請求項３、請求項４、請求項５、請求項６または請求項７に記載の空気調和装置。
【請求項９】
設置面に対して立設され、水平方向に間隔を空けて配置される支持部を有する支持フレームと、同支持フレームの同支持部の間の領域に、上下方向に間隔を空けて各々が横架され、流動性熱媒体が内部を流通可能な流通管と、同各流通管を覆い、横断面の外形が扁平形状あるいは楕円形状であり、同流通管から伝導する熱を外部に放熱可能な構造であると共に、長手方向と直交する長軸方向が同じ方向に傾斜するように取り付けられている外殻体とを含む発熱部と、同発熱部からの輻射熱を反射し、かつ、非透水性である反射面が形成され、同外殻体の長軸方向において低い側の端縁部と同反射面とが間隔を空けて相対するように配置された反射板と、同発熱部の下方、かつ、同反射板の下に配置され、上部分が開口した樋状の受け部とを有する空気調和装置と、
前記空気調和装置と組み合わせて運転され、圧縮機、膨張弁、流路切替弁、室内側熱交換器および室外側熱交換器を配管接続し冷媒を循環させて冷凍サイクルを行う冷媒回路を含み、同空気調和装置が同冷媒回路に組み込まれていると共に、同室内側熱交換器で同冷媒と熱交換された空気をファンによって室内に供給するエアコンとを備える
空気調和システム。
【発明の詳細な説明】
【技術分野】
【０００１】
本発明は、空気調和装置および空気調和システムに関する。詳しくは、空気調和装置の設置箇所周辺が発熱部に結露した水で汚れないようにしたものに関する。
【背景技術】
【０００２】
従来から、送風式の空気調和装置で発生し、周囲にいる者が不快に感じるドラフト感を解消すべく、熱交換器の輻射熱を用いた空気調和装置が使用されている。このような空気調和装置としては、例えば、特許文献１に記載された空気調和装置のように、複数本の熱交換器を横架し鉛直方向に並べて配置されたものが提案されている。【０００３】
図１２に示す特許文献１に記載された空気調和装置９は、流路部材の内部に熱媒体を流通させ、熱媒体との熱交換によって流路部材の外部の加熱または冷却を行うものであって、流路部材の内部に中芯部材が収容されており、中芯部材の表面と流路部材の内面によって、熱媒体を流通させる流路が形成されている熱交換器９０を、鉛直方向または水平方向あるいはそれ以外の方向に並設し、熱交換器９０に熱媒体を循環させるようにしたものである。【０００４】
空気調和装置９は、前述の構成を備えることによって、運転時において、周囲にいる者が不快に感じるドラフト感を解消できると共に、熱交換部である流路部材表面の温度の立ち上がりが速くなるので、利便性が高い。
【先行技術文献】
【特許文献】
【０００５】
【特許文献１】国際公開第ＷＯ２００９／１３０７６４号
【発明の概要】
【発明が解決しようとする課題】
【０００６】
一方で、特許文献１に記載された空気調和装置９は、その熱交換器９０が円棒状であって鉛直方向に配置されているため、冷房運転時に、熱交換器９０に生じた結露水が空気調和装置９の正面側あるいは背面側に滴り落ちて、空気調和装置９が設置された周辺を汚すことがあった。【０００７】
また、図１３に示すように、熱の輻射効率を向上させるべく空気調和装置９の背面側に反射板９１を配置した場合は、室内の熱の対流が起き、空気が反射板９１と熱交換器９０の隙間に入り込み、各熱交換器９０の間から反射板９６と反対の方向に流れることがある。この際に、熱交換器９０に生じた結露水の飛沫が、対流する空気に乗って空気調和装置９の正面側に飛び散り、周囲を汚すことがある。このような結露水による汚れは、見た目が悪く、また、カビ等の原因ともなり、衛生上好ましくない。【０００８】
本発明は、以上の点を鑑みて創案されたものであり、設置箇所周辺が、発熱部に結露した水が垂れ落ちたり飛び散ったりすること等で汚れることがないようにした空気調和装置および空気調和システムを提供することを目的とするものである。
【課題を解決するための手段】
【０００９】
上記の目的を達成するために本発明の空気調和装置は、設置面に対して立設され、水平方向に間隔を空けて配置される支持部を有する支持フレームと、該支持フレームの前記支持部の間の領域に、上下方向に間隔を空けて各々が横架され、流動性熱媒体が内部を流通可能な流通管と、該各流通管を覆い、横断面の外形が扁平形状あるいは楕円形状であり、同流通管から伝導する熱を外部に放熱可能な構造であると共に、長手方向と直交する長軸方向が同じ方向に傾斜するように取り付けられている外殻体とを有する発熱部と、該発熱部からの輻射熱を反射し、かつ、非透水性である反射面を有し、前記外殻体の長軸方向において低い側の端縁部と前記反射面とが間隔を空けて相対するように配置された反射板と、前記発熱部の下方、かつ、前記反射板の下に配置され、上部分が開口した樋状の受け部とを備える。【００１０】
ここで、支持フレームは、支持部の間の領域において、発熱部を水平方向に横架して支持しており、かつ、発熱部の外殻体を上下方向へ間隔を空けて支持する。【００１１】
発熱部は、その内部に収まる流通管に流動性熱媒体が流通すると、流通管から伝導する熱を外部に放熱可能な構造である外殻体に熱が伝わり、発熱部の周囲へ輻射熱を放射する。また、流通管を覆う外殻体は、流通管が外側からの圧力や衝撃で変形あるいは破損することを防止すると共に、発熱部分が単なる管体である場合よりも表面積をより広くしており、熱交換効率を向上させている。【００１２】
また、発熱部は、水平方向に配置され、かつ、発熱部を構成する外殻体が、横断面（用語「横断面」は、発熱部の長手方向と直交する方向の断面の意味で使用している。以下同じ）の外形が扁平形状あるいは楕円形状であり、長手方向と直交する長軸方向が同じ方向に傾斜するように取り付けられていることによって、発熱部表面に生じた結露水が傾斜方向である反射板側にのみ流下する。【００１３】
反射板は、発熱部の反射板側に放射された輻射熱を反射し、発熱部の隙間を通じて、輻射熱を空気調和装置外へ放出させる。また、発熱部から生じた結露水は、仮に反射板に付着した場合には、付着した結露水が板面を伝って下方に位置する受け部へ流れ落ちる。
発熱部の外殻体の長軸方向において低い側の端縁部と反射面の間の空隙は、発熱部で加熱または冷却された空気が、上昇または下降する際の流路となる。【００１４】
受け部は、発熱部を伝って滴下する結露水、あるいは、反射板を伝って滴下する結露水を受け止める。加えて、受け部は、冷房時に上から下方向に対流する冷気が直接設置面に当たらないようにして結露を防ぎ、また、対流の方向を変えて装置外に冷気が流れるように誘導する。【００１５】
発熱部、反射板および受け部は、各々が相まって、発熱部に生じた結露水を漏らさないように受け止める。【００１６】
支持フレーム、発熱部、反射板および受け部を備える空気調和装置は、運転時において、周囲にいる者が不快なドラフト感を感じることが無く、発熱部で加熱または冷却された空気が、反射板の正面の空間を直接温めるか冷やすと共に、設置空間に対流が起こるので、設置空間を効率よく温めたり、冷やしたりすることができる。【００１７】
前記外殻体は、互いに同じ形状である一対の殻部材を有し、各殻部材には、前記流通管の外表面に密着するように合わさる凹面が形成された当接部と、他方の殻部材に形成される凹部に嵌入して嵌着される突出片部と、他方の殻部材に形成される突出片部が嵌入して嵌着される凹部とが形成された嵌合部が設けられ、同殻部材を嵌め合わせる構造である場合は、設けられた突出片部と凹部とを嵌合部で嵌め合わせるだけの簡易な構造であるため、流通管への組み付け作業にあたり、特殊な工具や特別な技術を必要としないため、手早い組み立てが可能となる。【００１８】
また、殻部材が同一部品であるため、部品調達の無駄を省き、ひいては製造コスト低減を図ることができる。加えて、殻部材の嵌合部に形成された凹面部は、流通管を挟んで嵌め合わせた状態では、外殻体と流通管が密着して、動くことがないよう保持し、かつ、流通管からの熱を受けて外殻体の表面側へ伝える。更に、外殻体は、支持フレームに固着せず、流通管との密着性を調整することで、流通管を中心に回動して短手方向の角度を所要の角度に設定でき、これにより、放射効率を調整することもできる。【００１９】
前記流動性熱媒体が温水または冷水である場合は、流動性熱媒体が油や化学物質である場合と比較して、取り扱いが容易であり、廃棄時においては環境負荷を抑制できる。【００２０】
前記流動性熱媒体が冷媒である場合は、水と比較して熱交換効率や防錆性等がより良いものを採用すれば、温度の立ち上がりやメンテナンス性等の空気調和装置の性能を高めることができる。また、この場合、使用する冷媒は、空気調和装置専用のものであっても良いし、後述するエアコンの冷媒回路と共通するものであっても良い。【００２１】
前記支持フレームにおいて前記発熱部を間に挟んで前記反射板の反対側となる領域に取り付けられ、天井方向または設置面との間に、通気のための隙間が設けられているパネル体を備える場合には、パネル体が、発熱部あるいは流通管の分岐部等の機構部を保護する保護カバーの役割を果たすと共に、目隠しの役割にもなる。更に、パネル体によって、反射板と共に発熱部を挟む形となって煙突効果が生じ、通気のための隙間から暖気または冷気が放出されて空気の対流が促進され、暖房効率または冷房効率が向上する。【００２２】
前記パネル体のうち、少なくとも前記発熱部を覆う部分は、同発熱部の発する輻射熱が通過可能な構造である場合には、パネル体が発熱部の保護カバーの役割を果たすと共に、パネル体を通過した輻射熱が使用者や周囲の空気を直接的に温め、または、冷やすことができる。【００２３】
前記パネル体の表面に、広告、サイン、絵または写真が表示されている場合には、パネル体を広告パネルあるいはサインボードとして活用できる。即ち、空気調和装置は、設置する室内空間に大きく露出する形態でもあり存在感が大きいので、広告を表示する場合は、より効果的な広告としての機能を持たせることができ、また、アート画像等を表示する場合は、アート画像によって華やかな空間や周囲にいる者が安らげる空間をつくる等、室内を様々に演出することができる。【００２４】
前記外殻体の表面に、ローレット加工、アルマイト加工、放熱用コーティング、遠赤外線放出用コーティング、消臭機能、抗菌機能または揮発性有機化合物の吸着分解機能を有するコーティングから選ばれた一または複数の加工あるいはコーティングを施している場合には、これら加工等を施すことで、発熱部に各種機能を持たせることができる。【００２５】
より詳しくは、ローレット加工、アルマイト加工あるいは放熱用コーティングを施すことで、発熱部の放熱性が向上し、発熱部における熱交換がより効率良く行われ、また、遠赤外線放出用コーティングを施せば、発熱部から放出される遠赤外線が輻射熱とも相まって室内の温度調節が効率的に行われる。更に、消臭機能、抗菌機能または揮発性有機化合物の吸着分解機能を有するコーティングを施すことで、これらの機能性によって空気調和装置のメンテナンスがより簡単になり、快適に使用することができる。【００２６】
上記の目的を達成するために本発明の空気調和システムは、設置面に対して立設され、水平方向に間隔を空けて配置される支持部を有する支持フレームと、同支持フレームの同支持部の間の領域に、上下方向に間隔を空けて各々が横架され、流動性熱媒体が内部を流通可能な流通管と、同各流通管を覆い、横断面の外形が扁平形状あるいは楕円形状であり、同流通管から伝導する熱を外部に放熱可能な構造であると共に、長手方向と直交する長軸方向が同じ方向に傾斜するように取り付けられている外殻体とを含む発熱部と、同発熱部からの輻射熱を反射し、かつ、非透水性である反射面が形成され、同外殻体の長軸方向において低い側の端縁部と同反射面とが間隔を空けて相対するように配置された反射板と、同発熱部の下方、かつ、同反射板の下に配置され、上部分が開口した樋状の受け部とを有する空気調和装置と、前記空気調和装置と組み合わせて運転され、圧縮機、膨張弁、流路切替弁、室内側熱交換器および室外側熱交換器を配管接続し冷媒を循環させて冷凍サイクルを行う冷媒回路を含み、同空気調和装置が同冷媒回路に組み込まれていると共に、同室内側熱交換器で同冷媒と熱交換された空気をファンによって室内に供給するエアコンとを備える。【００２７】
ここで、支持フレームは、支持部の間の領域において、発熱部を水平方向に横架して支持しており、かつ、発熱部の外殻体を上下方向へ間隔を空けて支持する。【００２８】
発熱部は、その内部に収まる流通管に流動性熱媒体が流通すると、流通管から伝導する熱を外部に放熱可能な構造である外殻体に熱が伝わり、発熱部の周囲へ輻射熱を放射する。また、流通管を覆う外殻体は、流通管が外側からの圧力や衝撃で変形あるいは破損することを防止すると共に、発熱部分が単なる管体である場合よりも表面積をより広くしており、熱交換効率を向上させている。【００２９】
また、発熱部は、水平方向に配置され、かつ、発熱部を構成する外殻体が、横断面（用語「横断面」は、発熱部の長手方向と直交する方向の断面の意味で使用している。以下同じ）の外形が扁平形状あるいは楕円形状であり、長手方向と直交する長軸方向が同じ方向に傾斜するように取り付けられていることによって、発熱部表面に生じた結露水が傾斜方向である反射板側にのみ流下する。【００３０】
反射板は、発熱部の反射板側に放射された輻射熱を反射し、発熱部の隙間を通じて、輻射熱を空気調和装置外へ放出させる。また、発熱部から生じた結露水は、仮に反射板に付着した場合には、付着した結露水が板面を伝って下方に位置する受け部へ流れ落ちる。
発熱部の外殻体の長軸方向において低い側の端縁部と反射面の間の空隙は、発熱部で加熱または冷却された空気が、上昇または下降する際の流路となる。【００３１】
受け部は、発熱部を伝って滴下する結露水、あるいは、反射板を伝って滴下する結露水を受け止める。加えて、受け部は、冷房時に上から下方向に対流する冷気が直接設置面に当たらないようにして結露を防ぎ、また、対流の方向を変えて装置外に冷気が流れるように誘導する。【００３２】
発熱部、反射板および受け部は、各々が相まって、発熱部に生じた結露水を漏らさないように受け止める。【００３３】
支持フレーム、発熱部、反射板および受け部を備える空気調和装置は、運転時において、周囲にいる者が不快なドラフト感を感じることが無く、発熱部で加熱または冷却された空気が、反射板の正面の空間を直接温めるか冷やすと共に、設置空間に対流が起こるので、設置空間を効率よく温めたり、冷やしたりすることができる。【００３４】
また、エアコンは、圧縮機、膨張弁、流路切替弁、室内側熱交換器および室外側熱交換器を配管接続し冷媒を循環させて冷凍サイクルを行う冷媒回路を含み、室内側熱交換器で冷媒と熱交換された空気をファンによって室内に供給するものであることによって、送風による強制対流で設置空間内の空調を行うことができる。【００３５】
加えて、空気調和装置がエアコンの冷媒回路に組み込まれていることにより、冷媒がエアコン側から供給されるので、空気調和装置に圧縮機等の機器が不要となり、また、エアコンと連動した制御を行うことも可能となる。【００３６】
例えば、エアコンは、ファンからの送風による強制対流によって早く空間内を目的温度にすることができる長所があるが、その反面、ファンからの送風が人体に不快感（ドラフト感）を与える短所があり、輻射式の空気調和装置は、このようなドラフト感を周囲にいる者に与えない長所があるが、エアコンと比較すると空間内を目的温度にするために時間が掛かるという短所がある。【００３７】
これに対して、空気調和装置とエアコンを組み合わせて運転することにより、例えば、最初はエアコンを主体として運転することによって、短時間で目的温度に近づけることができ、その後は、空気調和装置を主体として運転することによって、空間内の温度を保つことができるので、室内側熱交換器のファン作動時間を短く抑えて、人体に不快なドラフト感を与えない空調ができる。【００３８】
また、エアコンと空気調和装置を同時に運転した場合、空気調和装置からの輻射熱は近くにいる周囲にいる者の体感に直接作用し、エアコンは全体の空調を行うので、エアコン単体あるいは空気調和装置単体で運転するよりも、周囲にいる者に快適性が得られるまでの時間が短くて済む。更に、空気調和装置からの輻射熱と、ファンからの送風とを対流させることで、空間内の温度の均一化を早くできる。【００３９】
このように、本発明の空気調和システムは、ファンによって送気するエアコンの長所と輻射式の空気調和装置の長所が相乗し、短所を補完し合うので、冷暖房の温度制御が効率的かつ効果的に行われる。
【発明の効果】
【００４０】
本発明による空気調和装置によれば、空気調和装置の設置箇所周辺が発熱部に結露した水で汚れないようにすることができる。
本発明による空気調和システムによれば、空気調和装置の設置箇所周辺が発熱部に結露した水で汚れないようにすることができる。
【図面の簡単な説明】
【００４１】
【図１】本発明の第１実施形態の空気調和装置を示しており、（ａ）は正面視説明図、（ｂ）は縦断面説明図である。
【図２】図１に示す空気調和装置の発熱部の構造を示す縦断面説明図である。
【図３】図１（ｂ）の中間部を一部省略した拡大説明図である。
【図４】図１（ｂ）の中間部を一部省略し、冷房運転時の空気の流れを矢印で示した拡大説明図である。
【図５】図１（ｂ）の中間部を一部省略し、冷房運転時の結露水の流れを示した拡大説明図である。
【図６】図１に示す空気調和装置における暖房運転時の空気の流れを矢印で示した説明図である。
【図７】本発明の空気調和装置の第２実施形態を示す正面図である。
【図８】本発明の空気調和装置の第３実施形態を示す正面説明図である。
【図９】本発明の空気調和装置の第４実施形態を示す正面説明図である。
【図１０】本発明の第５実施形態を示し、図１に示す空気調和装置にエアコンを組み合わせた空気調和システムの概略説明図である。
【図１１】図１０に示す空気調和システムの冷媒回路図である。
【図１２】従来の空気調和装置を示す斜視図である。
【図１３】従来の空気調和装置に反射板を配置した構造である場合の結露水の流れを示す説明図である。
【発明を実施するための形態】
【００４２】
図１ないし図９を参照して、本発明の実施の形態を更に詳細に説明する。なお、各図における符号は、煩雑さを軽減し理解を容易にする範囲内で付している。なお、以下で述べる用語「正面側」は先に述べた「発熱部を間に挟んで反射板の反対側となる領域」と同等の意味で使用している。
【００４３】
〔第１実施形態〕
空気調和装置１Ａは、支持フレーム２１と、支持フレーム２１に取り付けられた発熱部２２と、発熱部２２からの輻射熱を反射する反射板２３と、樋状の受け部２４と、パネル体３ａを有しており、以下、各部について説明する。
【００４４】
図１（ａ）を参照する。支持フレーム２１は、空気調和装置１Ａの設置面Ｆ（屋内であれば床面等）に対して立設され、水平方向に間隔を空けて配置される支持部２１０を有している。各支持部２１０は、後述する流通管２２１の両端に位置する接続部分が外部から見えないように、内部に収納している（図１（ａ）参照）。また、各支持部２１０間の領域の上側には、補強材２１１が横架して設けられている。
【００４５】
発熱部２２は、支持フレーム２１の支持部２１０の間の領域に配置され、流動性熱媒体が内部を流通可能な流通管２２１と、流通管２２１を覆い、かつ、流通管２２１から伝導する熱を外部に放熱可能な構造である外殻体２２２により構成されている。
【００４６】
流通管２２１は、両端側で繋ぐようにして、全体としては鉛直方向の同一平面に沿うように上下方向に蛇行しており、一定間隔で並んだ各水平部分に外殻体２２２が各々装着されている構造である。そして、各外殻体２２２は、横断面の長軸方向が反射板２３に向けて同様に下り傾斜するようにして取り付けられている（図１（ｂ）参照）。
【００４７】
更に詳しくは、外殻体２２２は、互いに同じ形状である一対の殻部材２２３ａ、２２３ｂを有し、各殻部材２２３ａ、２２３ｂには、流通管２２１の外表面に密着するように合わさる凹面が形成された当接部２２６ａ、２２６ｂと、他方の殻部材２２３ｂ（２２３ａ）に形成される凹部２２４ｂ（２２４ａ）に嵌入して嵌着される突出片部２２５ａ（２２５ｂ）と、他方の殻部材２２３ｂ（２２３ａ）に形成される突出片部２２５ｂ（２２５ａ）が嵌入して嵌着される凹部２２４ａ（２２４ｂ）とが形成された嵌合部が設けられ、殻部材２２３ａ、２２３ｂを嵌め合わせることで、横断面の外形が、やや扁平な、略楕円形状となる構造である（図２参照）。
【００４８】
なお、外殻体２２２の表面には、長手方向に延びた凹凸となるローレット加工およびアルマイト加工が施されており、これによって、耐食性が向上すると共に、表面積が広くなって熱交換時の効率を向上させている。
【００４９】
本実施形態において、外殻体２２２を取り付ける際の傾斜角度は、外殻体２２２の断面楕円形状の長軸が水平となる角度を０°として、１°〜８９°の範囲内であればよく、更に、３５°〜７０°の範囲内であることが好ましい。同傾斜角度の範囲であれば、後述するように、外殻体２２２の下面側となる側から生じる放射束が、空気調和装置１Ａの正面側から正面側床面へ向いやすいためである。また、外殻体２２２は、支持フレーム２１にネジ等で固着して所定の傾斜角度を保持するようにしてもよいし、外殻体２２２を軸回転可能に取り付けて、周囲にいる者が傾斜角度を適宜設定できるようにしてもよい。
【００５０】
本実施形態において、外殻体２２２は、その表面に、ローレット加工およびアルマイト加工を施しているが、これに限定するものではない。例えば、他の放熱用コーティング、遠赤外線放出用コーティング、消臭機能、抗菌機能または揮発性有機化合物の吸着分解機能を有するコーティングから選ばれた一または複数の加工あるいはコーティングを施している場合には、これら加工等を施すことで、発熱部に各種機能を持たせることができる。
【００５１】
本実施形態において、流通管２２１は、前述のように蛇行管であるが、これに限定するものではなく、例えば、流通管が上下方向に亘る一対の鉛直部分と、各鉛直部分に架け渡された複数の水平部分を有する梯子状の構成であってもよい。また、流通管２２１は、上端に流動性熱媒体の注入管に接続される接続部２２７ａを備え、下端に流動性熱媒体の戻り管に接続される接続部２２７ｂを備えているが、これに限定するものではなく、例えば、注入管／戻り管への接続部は、空気調和装置１Ａの側部方向に設けてもよいし、３つ以上設けてもよい。また、注入管／戻り管への接続部は、両方とも空気調和装置１Ａの上端または下端に向けて設けてもよい。
【００５２】
反射板２３は、断熱材で形成されると共に、非透水性である反射面２３１を有し、反射面２３１が、外殻体２２２の長軸方向において低い側の端縁部と間隔を空けて相対するように配置されている。反射板２３の下端には、発熱部２２側へ鈍角に曲げられたガイド板２３２が取り付けられている。ガイド板２３２の先端は、後述する受け部２４の内部に位置するようにしてある（図１（ｂ）参照）。
【００５３】
受け部２４は、発熱部２２の外殻体２２２の中で最も下に位置するものの下方、かつ、反射板２３の下（更に詳しくは、反射板２３に取り付けられたガイド板２３２の下）に位置し、ガイド板２３２を伝って滴下するか、あるいは、発熱部２２から直接滴下する結露水を受けられるように上部分が開口した構造となっている。
【００５４】
パネル体３ａは、パンチングメタルで形成されており、空気調和装置１Ａの正面側下方へ取り付けられている。パネル体３ａは、受け部２４や配管部（図示省略）等について、正面方向から見た際の目隠しとなるよう覆うものである。また、パネル体３ａは、設置面Ｆとの間に、通気のための隙間が形成されるように取り付けられている。
【００５５】
なお、本実施形態では、パネル体は、空気調和装置の正面側下方へ取り付けられているが、これに限定するものではなく、配管部（図示省略）等が上部に設けられている場合、空気調和装置の正面側上方に取り付ける態様であっても良い。
【００５６】
流通管２２１を流通する流動性熱媒体としては、例えば、温（熱）水、蒸気、冷水、ハイドロ・クロロフルオロ・カーボン、ハイドロ・フルオロ・カーボン等の液相冷媒、気液二相冷媒、気相冷媒が挙げられるが、これに限定するものではなく、その他の公知の流動性熱媒体を採用してもよい。
【００５７】
また、発熱部の変形例として、外殻体の表面のうち、反射板側に向いた領域には、撥水加工あるいはガイド溝等の結露水が流下しやすい加工を施し、反射板の反対側となる領域にはローレット加工等の放熱効果を高める加工を施したような態様であっても良い。この場合、その発熱部において生じた結露水、あるいは、上に位置する外殻体から滴下した結露水は、反射板側に流下しやすく、空気調和装置１Ａの正面側には向かいにくい。なお、反射板側に向いた領域の表面にブラスト処理等の親水加工を施すことによる結露水対策も除外するものではない。
一方、外殻体の表面のうち、空気調和装置１Ａの正面を向いた側にはローレット加工等が施されているため、正面側に位置する人または空間への放熱効率が良い。
【００５８】
図１から図６、特に図４から図６を参照して、本発明の空気調和装置１Ａの作用を説明する。
【００５９】
発熱部２２は、流通管２２１に流動性熱媒体が流通すると、外殻体２２２に流動性熱媒体が有する熱が伝わり、外部に放熱する。外殻体２２２は、流通管２２１が外側からの圧力や衝撃で変形あるいは破損することを防止すると共に、発熱部分が単に流通管２２１である場合よりも表面積をより広くし、熱交換効率を向上させている。反射板２３は、発熱部２２の反射板２３側に放射された輻射熱を反射し、発熱部２２に形成された隙間を通じて輻射熱を空気調和装置１Ａの正面方向側へ放出させる。
【００６０】
また、発熱部２２の外殻体２２２が、前述したように、傾斜して取り付けられていることによって、発熱部２２の外殻体２２２表面に生じた結露水Ｔが反射板２３側にのみ流下する。発熱部２２から生じ、反射板２３に付着した結露水Ｔは、板面を伝って下方に位置する受け部２４へ流れ落ちる（図５参照）。
【００６１】
また、前述したように、発熱部２２が傾斜して取り付けられていることによって、発熱部２２の外殻体２２２の下面側となる部分から生じる輻射熱が空気調和装置１Ａの正面方向から床方向に向けて直接放射されるので、空気調和装置１Ａの正面側にいる者は直接的に冷暖いずれかの輻射熱を感じることができる。
【００６２】
図４または図６に示すように、冷暖房運転時において、反射板２３に沿って上昇あるいは下降する空気の主流が生じ、各発熱部２２の外殻体２２２の隙間を通る空気は、この空気の主流へ合流あるいは分流するものであるが、合流あるいは分流の際に、傾斜した外殻体２２２が、空気を流れやすく誘導し、隙間を通る空気の流速を高める。更に、暖房時において、外殻体２２２の下面側となる部分が発する輻射熱は、その放射束方向にある床面を温め、これによって生じる室内空気の上方への対流効果を高める。
【００６３】
外殻体２２２は、前述の構造であり、設けられた突出片部２２５ａ、２２５ｂと凹部２２４ａ、２２４ｂとを嵌合部で嵌め合わせるだけの簡易なものであるため、流通管２２１への組み付け作業にあたり、特殊な工具や特別な技術を必要としないため、手早い組み立てが可能となる。
【００６４】
また、殻部材２２３ａ、２２３ｂが同一部品であるため、部品調達の無駄を省き、製造コスト低減化を図ることができる。加えて、殻部材２２３ａ、２２３ｂの嵌合部に形成された当接部２２６ａ、２２６ｂによって、流通管２２１を挟んで嵌め合わせた状態では、外殻体２２２と流通管２２１が密着し、動くことがないよう保持される。
【００６５】
本実施形態においては、外殻体２２２は、ネジ等の固定手段を用いて、支持フレーム２１に固着して所定の取り付け角度に保持されているが、これに限定するものではなく、例えば、支持フレーム２１に固着せず、流通管２２１との密着性を調整することで、流通管２２１を中心に回動して短手方向の角度を所要の角度に設定でき、これにより、放射効率を調整することができるようにしてもよい。
【００６６】
図４および図５に示す冷房運転時において、設置空間内の空気は、矢印で示すように上方から下方へ対流する。また、発熱部２２の外殻体２２２の傾斜面による誘導によって、発熱部２２に形成された隙間も空気の流路となり、発熱部２２に形成された隙間を通る空気は、発熱部２２と反射板２３の間の空隙を反射板２３に沿って下降する空気と合流する。このとき、発熱部２２で生じた結露水Ｔは、下方に位置する外殻体２２２に滴下しても、前述の通り外殻体２２２が反射板２３側へ傾斜しているので、空気調和装置１Ａの正面側へ飛び散らない。
【００６７】
滴下した結露水Ｔが、下方の外殻体２２２に当たって飛び散るなどして、反射板２３に付着した場合（図５拡大図を参照）には、付着した結露水Ｔが板面を伝って下方に位置する受け部２４へ流れ落ちる。このように、発熱部２２、ガイド板２３２を含む反射板２３、および、受け部２４は、各々が相まって、発熱部２２に生じた結露水Ｔを漏らさないように受け止める。
【００６８】
加えて、受け部２４は、冷房時に上から下方向に対流する冷気が直接設置面に当たらないようにして設置面Ｆで結露することを防止し、また、対流の方向を変えて装置外に冷気が流れるように誘導する。
【００６９】
図６に示す暖房運転時において、設置空間内の空気は、矢印で示すように下方から上方へ対流する。なお、暖房運転時には、発熱部２２に結露水Ｔは生じないため、発熱部２２に形成された隙間から空気調和装置１Ａの正面側に空気が流れたとしても、結露水Ｔによる汚染は生じない。
【００７０】
このように、空気調和装置１Ａによれば、空気調和装置１Ａが設置された箇所の周辺が、発熱部２２に生じた結露水Ｔで汚れないようにすることができる。また、空気調和装置１Ａは、運転時において、従来の空気調和装置（エアコン）のような強制対流による送風ではなく、設置領域内の空間に生じる空気の流れが空間内の温度差による自然な対流によるものであるので、周囲にいる者が不快なドラフト感を感じることが無く、発熱部２２で加熱または冷却された空気が、反射板２３の正面の空間を直接温めるか冷やすと共に、設置空間に対流が起こるので、設置空間を効率よく温めたり、冷やしたりすることができる。
【００７１】
〔第２実施形態〕
図７に示す空気調和装置１Ｂは、空気調和装置１Ａの正面側に、発熱部２２を覆うパネル体３ｂ、３ｃが更に備わる態様である。なお、パネル体３ｂ、３ｃ以外の構造部分は空気調和装置１Ａと同様であるため、共通する構造部分には空気調和装置１Ａと同じ符号を付し、説明を省略する。
【００７２】
パネル体３ｂ、３ｃは、パンチングメタルで形成されており、空気調和装置１Ｂの正面側の上方から中間部に掛けて発熱部２２を覆って見えないように取り付けられている。また、パネル体３ｃは、天井面との間に、通気のための隙間が形成されるように取り付けられている。
【００７３】
パネル体３ｂ、３ｃは、発熱部２２の保護カバーの役割を果たすと共に、発熱部２２の発する輻射熱が通過可能な構造であるため、通過した輻射熱が周囲にいる者や周囲の空気を直接的に温め、または、冷やすことができる。
【００７４】
また、図７に示すように、パネル体３ｂおよび３ｃの表面には、広告が表示されており、パネル体部分を広告パネルあるいはサインボードとして活用できる。即ち、空気調和装置１Ｂは、設置する室内空間に大きく露出する形態でもあり存在感が大きいので、広告を表示する場合は、より効果的な広告としての機能を持たせることができ、また、アート画像等を表示する場合は、アート画像によって華やかな空間や周囲にいる者が安らげる空間をつくる等、室内を様々に演出することができる。
【００７５】
加えて、パネル体３ｂ、３ｃは、反射板２３と共に発熱部２２を挟む形となって煙突効果を生じさせ、通気のための隙間から暖気または冷気が放出されて空気の対流が促進され、暖房効率または冷房効率が向上する。また、パネル体３ｂおよび３ｃは、内外面を貫通した輻射熱が通過可能な多数の孔を有しているので、発熱部２２の外殻体２２２に沿って発熱部２２に形成された隙間に速い速度で空気が流れると、隙間内の圧力が低下して（ベルヌーイの定理から）、パネル体３ｂ、３ｃに形成された孔から隙間内に空気が取り込まれ、パネル体３ｂ、３ｃの内側の領域を通る空気の流量が増大し、室内空気の対流が更に促進される。
【００７６】
更に、パネル体３ｂおよび３ｃの取り付けにより、発熱部２２を内蔵する構成となり、発熱部２２を直接手で触れることができないようになっている。したがって、気相冷媒等による暖房時に発熱部２２が高温になる場合があるが、周囲にいる者が誤って発熱部２２に触れることもないので、周囲にいる者にとって安全である。
【００７７】
なお、本実施形態において、パネル体３ａ、３ｂ、３ｃの構造は、輻射熱および空気が通ることができれば、特に限定するものではなく、例えば、細かいメッシュ状であってもよいし、板に多数の細いスリットを設けた構造等であってもよい。また、孔やスリットの形状は特に限定するものではなく、例えば円形、楕円形、各種多角形等であってもよい。孔やスリットは、それぞれが貫通穴として繋がっていてもよいし、繋がっておらず別々に形成されていてもよい。更に、孔やスリットの大きさは特に限定するものではないが、周囲にいる者が過って発熱部に接触したり故意に触れたりできないように、例えば、指が入らない大きさであるのが好ましい。
【００７８】
〔第３実施形態〕
図８に示す空気調和装置１Ｃは、空気調和装置１Ａの流通管２２１の構造を変更した態様である。なお、流通管の構造部分以外は空気調和装置１Ａと同様であるため、共通する構造部分には空気調和装置１Ａと同じ符号を付し、説明を省略する。
【００７９】
流通管２２１ａは、両端側で繋ぐようにして、全体としては鉛直方向の同一平面に沿うように上下方向に蛇行しており、詳しくは、流通管２２１と異なり、第１の鉛直部分から複数本（本実施形態では６本）の横架部分として分岐し、各横架部分は、第１の鉛直部分と所要間隔を空けて位置する第２の鉛直部分に繋がり、再度１本に合流する構造であり、このような構造が上下方向に連続して設けられている（図８参照）。なお、流動性熱媒体の流れは矢印で示しているが、これに限定するものではなく、例えば、後述する第５実施形態のように、運転切換によって流動性熱媒体の流れが逆になる場合もある。
【００８０】
流通管２２１ａを用いた空気調和装置１Ｃによれば、単なる蛇行管である場合と比較して、流通管２２１ａを流通する流動性熱媒体の抵抗値が下がり、これにより、流動性熱媒体を送り出すためのコンプレッサーあるいはポンプに加わる負荷を減少させることができる。
【００８１】
〔第４実施形態〕
図９に示す空気調和装置１Ｄは、空気調和装置１Ａの高さを低くした態様である。なお、概ね空気調和装置１Ａと同様であるため、共通する構造部分には空気調和装置１Ａと同じ符号を付し、説明を省略する。なお、本実施形態では、空気調和装置１Ｄの上部と天井との距離が離れているため、空気調和装置１Ｄ下方に記載した「ＩＮ」の方向から流動性熱媒体が流入し、「ＯＵＴ」の方向へ流動性熱媒体が戻る構造となっている。
【００８２】
図９中に記載された人物（符号省略）との対比で分かるように、空気調和装置１Ｄは、高さ１メートル程度に設けられており、このような背の低い態様の空気調和装置１Ｄであれば、公共空間を区切る間仕切りのように配置したり、所定の高さに配置された窓の下の壁に沿って配置したりすることができ、自然な配置でありながら、周辺の者あるいは空間を輻射熱にて温め、あるいは冷やすことができる。
【００８３】
〔第５実施形態〕
【００８４】
図１０および図１１に示す本発明の第５実施形態では、１台の室外機４０と、この室外機４０に直列に接続されている２台の室内機によって、空気調和システムＳが構成されている。２台の室内機のうち１台は一般的な対流型室内機４１であり、他の１台が空気調和装置１Ａである。対流型室内機４１と空気調和装置１Ａは、空気調和対象域を有する部屋等に設置され、その空気調和対象域を冷房または暖房する機能を有している。
【００８５】
なお、前述の室外機４０と対流型室内機４１、後述する冷媒配管４２、圧縮機４３、室外側熱交換器４４、膨張弁４５、室内側熱交換器４６および四方切換弁４７は、いわゆる送風式のエアコンを構成する機器であり、以下、作用の説明の際に単に「エアコン」と総称する場合がある。また、本実施形態において使用される空気調和装置１Ａについては、構造および作用は先に述べた通りであるので、説明を省略する。
【００８６】
対流型室内機４１と空気調和装置１Ａとは、冷媒配管４２で接続されて連絡している。従って、対流型室内機４１と空気調和装置１Ａは、冷媒回路の一部を形成し、この冷媒回路に冷媒を循環させることによって、冷房運転または暖房運転することが可能になっている。なお、図１０、図１１では、空気調和システムＳは、室外機１台、対流型室内機４１および空気調和装置１Ａが、それぞれ１台の構成となっているが、図示してある台数に限定するものではない。
【００８７】
図１０、図１１に示すように、室外機４０は、圧縮機４３、室外側熱交換器４４、膨張弁４５を有する公知の構造である。また、対流型室内機４１は、室内側熱交換器４６と、室内側熱交換器４６に風を送る送風ファン（図示省略）を備えている公知の構造である。 
【００８８】
室内側熱交換器４６は、冷房運転時には蒸発器として、暖房運転時には凝縮器（放熱器）として機能し、図示省略のファン等の送風機から供給される空気と冷媒との間で熱交換を行ない、空気調和対象域に供給するための暖房空気あるいは冷房空気を作成する。前述の機器類は、冷媒配管４２により接続されて、空気調和システムＳの冷凍サイクル（冷媒回路）の一部を構成している。
【００８９】
図１０および図１１を参照して、空気調和システムＳの各種運転時の冷媒の流れについて説明する。
（冷房運転時  図１１（ａ））
空気調和システムＳによって冷房運転を実行する場合、圧縮機４３からの吐出冷媒が室外側熱交換器４４に流入するように四方切換弁４７が切り替えられ、圧縮機４３が駆動される。
【００９０】
圧縮機４３に吸入された冷媒は、圧縮機４３で高圧・高温のガス状態となって吐出され、四方切換弁４７を介して室外側熱交換器４４に流入する。この室外側熱交換器４４に流入した冷媒は、図示省略の送風機から供給される空気に放熱しながら冷却され、低圧・高温の液冷媒となって室外側熱交換器４４から流出する。
【００９１】
室外側熱交換器４４から流出した液冷媒は、膨張弁４５を通り対流型室内機４１に流入する。対流型室内機４１に流入した冷媒は、二相冷媒となる。この低圧二相冷媒は、室内側熱交換器４６に流入し、図示省略の送風機から供給される空気から吸熱することで蒸発、ガス化する。このとき、室内等の空気調和対象空間に冷房空気が供給され、空気調和対象空間の冷房運転が実現される。
【００９２】
室内側熱交換器４６から流出した二相冷媒は、対流型室内機４１から流出し、空気調和装置１Ａに流入し、発熱部２２を通る。このとき、雰囲気との吸熱作用と共に室内等の空気調和対象空間の雰囲気、すなわち空気が冷され、空気調和対象空間の冷房が実現される。
【００９３】
空気調和装置１Ａから流出した冷媒は、室外機４０に流入し、室外機４０の四方切換弁４７を通り、圧縮機４３に再度吸入される。
以上の冷媒サイクルを繰り返して冷房運転を行う。
【００９４】
（暖房運転時  図１１（ｂ））
空気調和システムＳによって暖房運転を実行する場合、圧縮機４３からの吐出冷媒が室内側熱交換器４６に流入するように四方切換弁４７が切り替えられ、圧縮機４３が駆動される。圧縮機４３に吸入された冷媒は、圧縮機４３で高圧・高温のガス状態となって吐出され、四方切換弁４７を介して空気調和装置１Ａに流入する。
【００９５】
空気調和装置１Ａに流入した冷媒は、発熱部２２で輻射熱を放出して室内等の空気調和対象空間の雰囲気を温める。空気調和装置１Ａから流出した冷媒は、対流型室内機４１の室内側熱交換器４６に流入する。室内側熱交換器４６に流入した冷媒は、図示省略の送風機から供給される空気に放熱しながら冷却され、液冷媒となる。このとき、室内等の空気調和対象空間に暖房空気が供給され、空気調和対象空間の暖房運転が実現される。
【００９６】
室内側熱交換器４６から流出した液冷媒は、膨張弁４５で減圧され、低圧二相冷媒となる。この低圧二相冷媒は、室外機４０の室外側熱交換器４４に流入する。室外側熱交換器４４に流入した低圧二相冷媒は、図示省略の送風機から供給される空気から吸熱することで蒸発、ガス化する。この低圧ガス冷媒は、室外側熱交換器４４から流出し、四方切換弁４７を通り、圧縮機４３に再度吸入される。
以上の冷媒サイクルを繰り返して暖房運転を行う。 
【００９７】
このように、空気調和システムＳでは、エアコン（対流型室内機４１）の長所と空気調和装置１Ａの長所が相乗し、短所を補完し合うことができるので、冷暖房の温度制御を効率的かつ効果的に行うことができる。
【００９８】
また、暖房時においては、発熱部２２近傍の空気が伝導熱や輻射熱で加熱され、反射板２３と発熱部２２の間の空隙を通じて、反射板２３に沿うように下から上方向に上昇する空気の流れが生じ、下方からの空気は、上昇しながら発熱部２２で加熱されて、前述の流れが継続される。
【００９９】
上昇して天井に至った加熱された空気は、流速が増しており、天井面に沿うように空気調和装置１Ａから相当に離れた位置まで到達する。また、空気はこの移動に伴って室内空気と熱交換を行い、冷却され降下して設置面側へ移動し、再度空気調和装置１Ａの下部から入り、発熱部２２で加熱され上昇する。このようにして、室内空気は、発熱部２２で加熱されながら室内全体を循環し対流する。
【０１００】
加えて、発熱部２２から輻射される輻射熱は、空気調和装置１Ａの正面側から室内に放出され、反射板２３により反射された輻射熱は、その一部が発熱部２２に形成された隙間を通り、室内に放出されて周囲にいる者に伝播するので、周囲にいる者は、直接的に温かさを感じることができる。なお、輻射熱は、壁、天井、設置面Ｆ等を温めるため有効に利用され、温まった壁、天井、設置面Ｆ等によって室内空気が間接的に温められる。
【０１０１】
このように、空気調和装置１Ａが輻射熱の反射、放出を繰り返しながら、空気の対流により移動する熱と共に輻射熱によって室内全体が良好に加熱され、空調を効果的に行うことができるので、エアコンの室内側熱交換器４６のファンの送風量を少なくするか、または、ファンを停止することが可能になり、結果的に周囲にいる者が感じるファンからの送風によるドラフト感を抑制するか、無くすことができる。
【０１０２】
なお、前述の冷房時においては、暖房を行う場合と異なり、空気が発熱部２２で冷却されるために、発熱部２２および反射板２３に沿う空気の流れは上から下方向となり、冷却された空気の流れは暖房の場合とはほぼ逆方向となるが、室内全体の空調を効果的に行うことができる点や、周囲にいる者が感じるファンからの送風によるドラフト感を抑制することができる点等については暖房の場合と同様である。
【０１０３】
更に、空気調和装置１Ａがエアコンの冷媒回路に組み込まれていることにより、冷媒がエアコン側から供給されるので、空気調和装置１Ａに圧縮機等の機器が不要となり、また、エアコンと連動した制御を行うことも可能となる。
【０１０４】
本明細書および請求の範囲において、「輻射」の用語は「放射」と換言することができる。また、本明細書にいう「煙突効果」の用語は、発熱部の側部の一部を覆い、または、発熱部の側部の全部を筒状に形成して覆うことにより空隙内の空気の流速が増す効果を含む意味で使用している。
【０１０５】
本明細書および特許請求の範囲で使用している用語と表現は、あくまでも説明上のものであって、なんら限定的なものではなく、本明細書および特許請求の範囲に記述された特徴およびその一部と等価の用語や表現を除外する意図はない。また、本発明の技術思想の範囲内で、種々の変形態様が可能であるということは言うまでもない。
【符号の説明】
【０１０６】
１Ａ、１Ｂ、１Ｃ、１Ｄ  空気調和装置、  Ｓ  空気調和システム、
２１  支持フレーム、  ２１０  支持部、  ２２  発熱部、  ２２１、２２１ａ  流通管、  ２２２  外殻体、  ２２３ａ、２２３ｂ  殻部材、  ２２４ａ、２２４ｂ  凹部、  ２２５ａ、２２５ｂ  突出片部、  ２２６ａ、２２６ｂ  当接部、  ２２７ａ、２２７ｂ  接続部、  ２３  反射板、  ２３１  反射面、  ２３２  ガイド板、  ２４  受け部、
３ａ、３ｂ、３ｃ  パネル体、
４０  室外機、  ４１  対流型室内機、  ４２  冷媒配管、  ４３  圧縮機、  ４４  室外側熱交換器、  ４５  膨張弁、  ４６  室内側熱交換器、  ４７  四方切換弁、
Ｆ  設置面、  Ｔ  結露水
９  空気調和装置、  ９０  熱交換器、  ９１  反射板
【図１】
2017009951.tif 000003
【図２】
2017009951.tif 000004
【図３】
2017009951.tif 000005
【図４】
2017009951.tif 000006
【図５】
2017009951.tif 000007
【図６】
2017009951.tif 000008
【図７】
2017009951.tif 000009
【図８】
2017009951.tif 000010
【図９】
2017009951.tif 000011
【図１０】
2017009951.tif 000012
【図１１】
2017009951.tif 000013
【図１２】
2017009951.tif 000014
【図１３】
2017009951.tif 000015
【国際調査報告】
2017009951.tif 000016
2017009951.tif 000017
2017009951.tif 000018
2017009951.tif 000019